(57)【要約】【課題】  取扱いがし易い程度の長さを有する器具の筐体を、直列的および並列的に任意に、しかも容易に配設できる直管形蛍光ランプを用いた照明器具を提供することを目的とする。【解決手段】  それぞれに直管形蛍光ランプＬおよびこのランプＬを支持接続するソケット装置４，４が設けられた複数組の筐体３，…を、直列的および並列的に配設できる連結部材６を介し接続している照明器具Ｄ１である。【選択図】  図１
2005108677.tif 000002
【特許請求の範囲】
【請求項１】
それぞれに直管形蛍光ランプおよびこのランプを支持接続するソケット装置が設けられた複数組の筐体を、直列的および並列的に配設できる連結部材を介し接続していることを特徴とする照明器具。
【請求項２】
上記連結部材が、蝶番で構成されていることを特徴とする請求項１に記載の照明器具。
【請求項３】
上記連結部材が、一枚の連結板の孔内に筐体側面から突出したピンを係合して構成されていることを特徴とする請求項１に記載の照明器具。
【請求項４】
上記連結部材が、筐体側面から突出して設けられた連結板の孔内にピンを係合して構成されていることを特徴とする請求項１に記載の照明器具。
【請求項５】
上記接続部材を構成する連結板のピン孔が、長孔であることを特徴とする請求項３または４に記載の照明器具。
【請求項６】
上記直列的および並列的に配設された複数組の筐体間の間隔が、調整できることを特徴とする請求項１ないし５のいずれか一に記載の照明器具。
【請求項７】
上記筐体内に多灯用の点灯回路装置が収容されていることを特徴とする請求項１ないし６のいずれか一に記載の照明器具。
【発明の詳細な説明】
【技術分野】
【０００１】
本発明は、直管形蛍光ランプを点灯するのに用いられる照明器具に関する。
【背景技術】
【０００２】
蛍光ランプは、蛍光体膜を形成したガラス管バルブの両端部に電極を設けるとともにバルブ内に水銀とアルゴンガス等の希ガスを封入して構成され、上記電極間に放電を生起させ、この放電によりバルブ内の水銀蒸気を電離し紫外線を発生させて、この紫外線により蛍光体膜が励起されて可視光をバルブ外に放射するようにしている。
【０００３】
蛍光ランプは、点灯回路装置を必要とするが、電球に比べ小電力、高効率で、一般的には線状（一部には面状）のガラス管バルブを備え、家庭においてはもちろん店舗、デパート、事務所、交通機関や工場等において照明用や表示用あるいはパソコンやテレビ等の液晶装置のバックライト用等として多用されている。
【０００４】
そして、たとえば店舗、デパート、事務所、工場や駅ホーム等において照明用としては、広範囲にほぼ均一な明るさの光放射が得られるよう直管形の蛍光ランプを用いた照明器具が多く使われ、これら器具が直列的や並列的に配設されている。
【発明の開示】
【発明が解決しようとする課題】
【０００５】
そして、上記場所においてより明るく快適な雰囲気をつくるため、定格が６５Ｗ形や１１０Ｗ形等の高出力形の蛍光ランプが用いられるが、これらランプは全長が１５００〜２４００ｍｍ程度と長いとともにガラス管バルブの外径も２６〜３８ｍｍ程度と太い。
【０００６】
この全長が長くバルブ外径が大きいということは、これらランプが装着された器具が大きくその設置作業時に労力を多く必要とし、また、作業もやり難いというばかりか、保管時や輸送時等に多くのスペースを要する等の不具合がある。
【０００７】
そこで、本発明者は、長尺の直管形蛍光ランプを用いる場合に、このランプの長さの１／２や１／３の短い直管形蛍光ランプを用いて取り扱いを容易にすることのできる照明器具について種々検討を行った。
【０００８】
本発明は、上記事情に鑑みなされたもので、取り扱いがし易い程度の長さを有する器具の筐体を、直列的および並列的に任意に、しかも容易に配設できる直管形蛍光ランプを用いた照明器具を提供することを目的とする。
【課題を解決するための手段】
【０００９】
本発明において、特に指定しない限り用語の定義および技術的意味は次による。  蛍光ランプのガラス管バルブは直管状をなし、通常、外径がＪＩＳ規格化（ＪＩＳ  Ｃ  ７７０８）された標準品である１５ｍｍ〜３８ｍｍ管と呼ばれているものを主体としたランプ全長（両端口金シェル底面部間）が最大１，３００ｍｍ程度のものにまで適用できる。
【００１０】
また、ガラス管バルブの外周を覆って透明の熱収縮性合成樹脂材料からなる防飛膜や透明導電膜あるいは光反射膜や紫外線遮断膜等が形成してあってもよい。
【００１１】
口金は、Ｇ形口金（ＪＩＳ  Ｃ  ７７０９−１に記載）と呼ばれているアルミニウム（Ａｌ）等の金属製やポリカーボネイト（ＰＣ）、アクリルあるいはポリブチレンテレフタレート（ＰＢＴ）等の合成樹脂材料製の有底筒状のシェルから一対の端子ピンを突出したものからなる。
【００１２】
１組の器具の筐体に装着される蛍光ランプの数は１本に限らず２本以上の複数本であってもよく、また、筐体等に設けられるランプ数に応じた対のソケット装置は、突部や鉤部と凹部とによる係合や接着等による手段で任意に取着できるものであればよい。
【００１３】
また、ランプへの電気的接続と支持をなすソケット装置のランプの取着構造は、ランプ口金の一対の端子ピンが円弧状の溝に沿って案内され、係止された位置で弾性を付与した板状端子部材と接触するランプを回転させる方式のものであっても、絶縁板に形成した一対の孔内に端子ピンを挿入して端子ピンの先端部が弾性を付与された板状端子部材と接触するランプを軸方向に押圧する方式であってもよい。
【００１４】
また、照明器具は器具の筐体の表面が白色であれば反射作用を奏し格別な反射部材を設ける必要はないが、筐体とは別体の反射部材を設けてもよい。
【００１５】
また、器具の筐体にカバー、グローブやセード等の制光体を設けることは差支えなく、制光体の内外表面の少なくとも一面側にプリズム状のレンズを形成して放射光を拡散や集光したり、部材を乳白色化や蝕刻等の処理を施し光拡散作用をもたせたりあるいは部材に酸化チタン（ＴｉＯ2 ）等の光触媒処理を施せば、制光体の汚れ防止や防臭効果をはかることができメンテナンスを容易に行うことができる。
【００１６】
また、点灯回路装置は電磁安定器による点灯や電子安定器（インバーター）を用いた高周波点灯を採用することができ、点灯回路装置は器具内に設けても器具外に別置してあってもよい。
【００１７】
さらに、筐体間を接続する連結部材の取付けは、筐体端部のどの側面や端面でもよいが、ソケット装置が取着された側面は突出しているので避けた方がよい。
【００１８】
さらにまた、本発明の照明器具は、デパート、事務所や工場あるいは商品展示ケース等において単体ではもちろん複数組を連続して配設したライン照明等として用いることができる。
【００１９】
本発明の請求項１に記載の照明器具は、それぞれに直管形蛍光ランプおよびこのランプを支持接続するソケット装置が設けられた複数組の筐体を、直列的および並列的に配設できる連結部材を介し接続していることを特徴としている。
【００２０】
２組以上の複数組の筐体が連結部材を介し接続されていて、各筐体を一直線状に延ばし配設したりまたは折り曲げ並列した複数列に配設したり、あるいは所望の角度の拡開した状態での配設等、器具のランプから所望の配光分布を呈する照射光を得ることができる。
【００２１】
そして、この複数組の筐体は、保管時および輸送時には並列的に折り曲げて放送箱内等に収容できるので、その幅は複数列となるので少々広くなるが、長さは筐体単体の長さでよくその取り扱いが容易となるとともにスペース的にも従来の器具より小容量化がはかれる。
【００２２】
本発明の請求項２に記載の照明器具は、連結部材が、蝶番で構成されていることを特徴としている。
【００２３】
隣接する筐体相互を二つ折りや複数折り曲げられる構造簡単な蝶番で連結したことにより、上記請求項１に記載したと同様な作用を奏する。
【００２４】
本発明の請求項３に記載の照明器具は、連結部材が、一枚の連結板の孔内に筐体側面から突出したピンを係合して構成されていることを特徴としている。
【００２５】
隣接する筐体相互が連結板を介し接続され、ピンおよび孔を中心として筐体を所望位置、所望方向に指向して配設できる、上記請求項１に記載したと同様な作用を奏する。
【００２６】
本発明の請求項４に記載の照明器具は、連結部材が、筐体側面から突出して設けられた連結板の孔内にピンを係合して構成されていることを特徴としている。
【００２７】
隣接する筐体相互が連結板を介し接続され、ピンおよび孔を中心として筐体を所望位置、所望方向に指向して配設でき、上記請求項１に記載したと同様な作用を奏する。
【００２８】
本発明の請求項５に記載の照明器具は、接続部材を構成する連結板のピン孔が、長孔であることを特徴としている。
【００２９】
連結板のピン孔を長孔とすることによって、筐体の移動可能距離が増えてその位置や間隔を所望に、また、自由に設定できる。
【００３０】
本発明の請求項６に記載の照明器具は、直列的および並列的に配設された複数組の筐体間の間隔が、調整できることを特徴としている。
【００３１】
二つ折りや複数折り曲げられる蝶番あるいは長孔を有する連結板を用いることによって、筐体を所望の位置や間隔を隔て自由に設定や調整できる。
【００３２】
本発明の請求項７に記載の照明器具は、筐体内に多灯用の点灯回路装置が収容されていることを特徴としている。
【００３３】
各筐体に各ランプの点灯回路装置を設けることも可能であるが、１組の筐体に多灯用の点灯回路装置を設け、他の筐体のランプへは配線を用い給電することが可能で、点灯回路装置の部品点数の削減等、器具のコストダウンがはかれる等の利点を有する。
【発明の効果】
【００３４】
請求項１に記載の発明によれば、保管や運搬時等においては全長等が短く、その取り扱いが容易で設置作業等が円滑に行えるとともにスペース性にすぐれている。また、１台の器具でランプを直列または並列して点灯ができる多様の照明が行える等の種々の利点を有する照明器具を提供できる。
【００３５】
請求項２ないし請求項４に記載の発明によれば、筐体間の連結を構造簡単で容易に行える利点を有する照明器具を提供できる。
【００３６】
請求項５および請求項６に記載の発明によれば、筐体間の移動可能距離が増えて、所望の位置や間隔を自由に設定調整が可能な照明器具を提供できる。
【００３７】
請求項７に記載の発明によれば、多灯用の点灯回路装置を用いることにより、回路部品点数の削減等、コストダウンがはかれる照明器具を提供できる。
【発明を実施するための最良の形態】
【００３８】
以下、本発明に係わる照明器具の実施の形態を図面を参照して説明する。図１は直管形蛍光ランプが装着された２組の筐体が直列して連結された照明器具の一部切欠正面図、図２は図１の下面図、図３は図１の２組の筐体が並列して連結された状態を示す一部切欠下面図、図４は図３の側面図である。（なお、本図で示す正面図や下面図等は、図面に合わせたもので器具の取付け方向によりその名称は変わる。）
図中、Ｌは定格ランプ電力３０Ｗ形の蛍光ランプで、この蛍光ランプＬはソーダライム等の軟質ガラスからなる外径が約１５．５ｍｍ、内径が約１４ｍｍ、全長が約１，１７８ｍｍの直管状のＴ５形ガラス管からなるバルブ１を備え、その両端の封止部（図示しない。）にはタングステン細線を巻回したコイル状のフィラメントからなる電極を内部リード線に継線したステムが封着されている。
【００３９】
また、上記バルブ１内には放電媒体としてペレット状の水銀Ｈｇ−亜鉛Ｚｎ合金およびアルゴン（Ａｒ）、クリプトン（Ｋｒ）、キセノン（Ｘｅ）やネオン（Ｎｅ）等の希ガスが単独または混合して封入されているとともにバルブ１の内壁面には蛍光体膜が形成してある。
【００４０】
また、上記バルブ１両端の封止部にはアルミニウム製の外径が約１５ｍｍ、長さが約１１ｍｍの有底円筒状のシェルを形成したＧ５形の口金２が接着剤を介し接合され、図示しないがシェル底部から突出した一対の端子ピンにはステムから導出した外部リード線を接続し、この口金２を含むランプ全長（両口金シェルの底面間）が約１，２００ｍｍの直管形の蛍光ランプＬを構成している。
【００４１】
また、Ｄ１は照明器具で、ここでは複数組例えば２組の筐体３，３を備えている。この筐体３は表面が白色塗装された鋼板からなる横断面が四角形をした筒状体からなり、それぞれの筐体３，３の一側面の端部近傍には上記蛍光ランプＬを支持するとともに電気的接続をするソケット装置４，４が正対して配設されている。
【００４２】
この一対のソケット装置４，４は、絶縁被覆した金属板や合成樹脂材料で形成され、上記直管形蛍光ランプＬの両端の口金２，２部と対応する位置（上記直管形蛍光ランプＬ全長と略同寸）において、ねじ止め、突部や鉤部と凹部との係合あるいは接着剤や接着テープ等により固定してある。
【００４３】
また、この筐体３，３内にはたとえば電子安定器（インバーター）を用いた高周波点灯回路装置５が、それぞれの蛍光ランプＬに対応して設けられソケット装置４，４と接続されていたりあるいは一方の筐体３内に２灯用の点灯回路装置５が設けられている。図中、５１は給電線、３１は給電線挿通孔である。
【００４４】
また、図示しないが筐体３のソケット装置４，４が配設されていない側面には、この筐体３を天井、壁や支柱等へ取付けるための孔部や突起部が形成され、ねじ等を用い取付け固定されている。
【００４５】
この筐体３に一対のソケット装置４，４を設けることは通常行われていることであるが、本発明の照明器具Ｄ１では、この筐体３．…を複数組、連結部材６を介し接続してある。
【００４６】
すなわち、この図１〜図４に示す照明器具Ｄ１は、２組の筐体３，３の一側面の端部近傍に両者をつなぐ連結部材６として蝶番６１の各片６２，６２がねじ６４，…により取付けられている。
【００４７】
この蝶番６１の各片６２，６２が軸６３を中心として図３に示す状態の重なり合っているときは、各筐体３，３が並列的配置であって、この照明器具Ｄ１の全長が最も短く、保管や運搬時等における取り扱いやスペース縮小にすぐれている。もちろん、短い区間や場所を高照度で照明する等の場合には、この並列状態で照明器具Ｄ１を天井面、壁面や支柱等に取付け配設することができる。
【００４８】
また、長い区間を等照度で照明する等の場合には、図３の状態から２組の筐体３，３を蝶番６１の軸６３を中心として拡開し、図１に示す状態の一直線状とすることができる。
【００４９】
なお、この両筐体３，３の対向した端面間に形成した給電線挿通孔３１は、給電線５１外形より大きくしておくことにより、両筐体３，３の配設時に内部への収容や引出しが容易で、かつ、配線の外観もよくなり好ましい。
【００５０】
そして、照明器具Ｄ１の上記蛍光ランプＬの全長と略同寸の間隔を隔て配設された一対のソケット装置４，４の装着孔や溝内に、上記蛍光ランプＬの口金２に設けられた一対の端子ピンが挿入・装着されることによって蛍光ランプＬの電気的な接続と機械的な支持がなされる。
【００５１】
このような構成の照明器具Ｄ１は、天井面や壁面等、設置場所まで筐体３，３が並列して折り曲げられた状態で運ばれ、筐体３，３を並列して取付ける場合はそのままで、また、直列させる場合は連結部材６である蝶番６１の軸６３を中心として筐体３，３を拡開して一直線状にして取付けることができる。
【００５２】
そして、照明器具Ｄ１は、電源−点灯回路装置５−給電線５１−ソケット装置４，４を介し蛍光ランプＬに通電されると、電極間に放電が生起し、この放電によりバルブ１内の水銀蒸気が電離して紫外線を発生し、蛍光体膜を励起して可視光をバルブ１外に放射する。すなわち、発光する。
【００５３】
この照明器具Ｄ１を筐体３，３が図３の並列の状態で点灯すれば、短い区間を高照度で照明でき、また、図１の直列の状態で点灯すれば、長い区間を等照度で照明できる。
【００５４】
上記蛍光ランプＬの主要構成は、たとえば定格ランプ電力３０Ｗでガラス管バルブ１の外径が約１５．５ｍｍ、内径が約１４．０ｍｍ、長さが約１，１７８ｍｍのＴ５形で、バルブ１内面には蛍光体膜を形成し、希ガスとしてアルゴンＡｒが封入してある。
【００５５】
そして、本発明に係わる上記蛍光ランプＬ，Ｌ（２本分）は現行の高出力形のＦＬＲ１１０Ｗのガラス管バルブの外径が約３８ｍｍ、内径が約３６ｍｍ、長さが約２，３４０ｍｍとしてあるランプと比べ、全長はほぼ同じで、電力が約５５％低く、全光束で２０％程度低下するが、消費電力を同一とした場合の全光束比は約２０％程度高くなるので省エネルギー効果があることを確認できた。
【００５６】
したがって、このような構成の照明器具Ｄ１は、筐体３，３間が折り曲げられるので全長等が短く、保管や運搬時等における取り扱いおよびスペース性にすぐれ、また、１台の器具Ｄ１でランプＬ，Ｌを直列的や並列的に配置して照射領域を変化できる。また、各筐体３，３に各ランプＬ，Ｌの点灯回路装置５，５を設けず多灯用の点灯回路装置５を採用して他の筐体３へは配線をすればよいので、点灯回路装置５の部品点数の削減等、器具Ｄ１のコストダウンがはかれる等の利点を有する。
【００５７】
また、図５および図６は筐体３，３間を連結する連結部材の他の実施の形態を模式的に示す説明図である。図５（ａ）〜（ｃ）に示す照明器具Ｄ２は、連結部材７が１枚の平板７１からなり、この平板７１の対称位置に一対の長孔７２，７２を形成し、隣接した筐体３，３の一側面の端部近傍から突出させたピン３２，３２をこの長孔７２，７２に係合して構成されている。
【００５８】
すなわち、この図５（ａ）は、２組の筐体３，３が並行した状態ではピン３２，３２が一対の長孔７２，７２の内寄りに在る。また、図５（ｂ）は、ピン３２，３２が一対の長孔７２，７２の外寄りに在って、２組の筐体３，３は並行しているが長孔７２，７２の長さ分、離れた状態にある。さらに、図５（ｃ）は、図５（ｂ）の状態から２組の筐体３，３を回動して直列させ一直線状としたものである。
【００５９】
また、図６（ａ）〜（c）に示す照明器具Ｄ３は、連結部材８が筐体側板を延長したり別途板材を取着したりして形成した突出部３３からなり、この突出部３３に丸孔８２を設け、筐体３，３相互の突出部３３，３３を重合して丸孔８２，８２にピン３２を通し係合して構成されている。
【００６０】
すなわち、この図６（ａ）は、２組の筐体３，３が並行した状態に在り、また、図６（ｂ）は、図６（ａ）の状態から２組の筐体３，３を回動して直列させ一直線状としたものである。また、図６(c)は要部を拡大した一部切欠断面正面図である。
【００６１】
なお、上記図５では連結部材７に長孔７２，７２を、また、図６では突出部３２からなる連結部材８に丸孔８２を設けたが、図５の連結部材７に丸孔を、また、図６の連結部材８に長孔を設けてもよい。また、これら孔は長孔とした方が隣接する筐体３，３間に所望の間隔がとれたり筐体３の回動がし易い等の利点があり、孔の形態は図示に限らず、他の形態としてもよい。
【００６２】
そして、これら照明器具Ｄ２およびＤ３においても、照明器具Ｄ１に記載したと同様な作用効果を奏する。
【００６３】
また、上記実施の形態では照明器具Ｄ１〜Ｄ３の構成が、２組の筐体３，３を連結したものであったが、本発明は例えば３組の筐体３，３，３を上記実施の形態に示す連結手段で接続したものであってもよい。すなわち、図７は他の照明器具Ｄ４を示し、連結手段は例えば図１ないし図４に示した蝶番６１，６１を介し筐体３，３，３が連結され拡開途中の下面図であって、蝶番６１の取付け側面を変えることにより筐体３，…を直列的にも並行的にも配設することができる。
【００６４】
また、蝶番６１を用いる場合、二つ折りでなく複数の折曲部を有する蝶番を用いれば、並列した筐体３，３間に間隙を形成することができる。
【００６５】
なお、筐体３の連結組数をもっと多くすることも可能であるが、照明器具の重量およびスペース（嵩）が増えるので３組程度までが好ましい。
【００６６】
なお、本発明は上記実施の形態に限らず、例えば照明器具ば１組の筐体に１本の蛍光ランプを設けたものに限らず２本以上の複数本のランプを並列して配設したものであってもよい。また、照明器具には別途、カバー、グローブ、セード等の制光体や反射板等の反射部材を設けることは差支えない。
【００６７】
また、照明器具の取り付けは、天井、壁や梁などへ直付けや吊り下げ等、その形態は問われない。
【図面の簡単な説明】
【００６８】
【図１】本発明に係わる照明器具の実施の形態を示す一部切欠正面図である。
【図２】図１の下面図である。
【図３】図１の２組の筐体が並列して連結された状態を示す一部切欠下面図である。
【図４】図３の側面図である。
【図５】（ａ）〜（ｃ）は、本発明に係わる照明器具の他の実施の形態を模式的に示す説明図である。
【図６】（ａ）〜（c）は、本発明に係わる照明器具の他の実施の形態を模式的に示す説明図である。
【図７】本発明に係わる照明器具の他の実施の形態を示す斜視図である。
【符号の説明】
【００６９】
Ｄ１〜Ｄ４：照明器具
Ｌ：蛍光ランプ
１：ガラス管バルブ
２：口金
３：筐体
３１：ピン
４：ソケット装置
５：点灯回路装置
６，７，８：連結部材
６２：孔
【図１】
2005108677.tif 000003
【図２】
2005108677.tif 000004
【図３】
2005108677.tif 000005
【図４】
2005108677.tif 000006
【図５】
2005108677.tif 000007
【図６】
2005108677.tif 000008
【図７】
2005108677.tif 000009